(57)【要約】【課題】  水路を容易且つ確実に保護することができる水路用保護部材を提供する。【解決手段】  水路１０内に収容される被収容部２ａと、水路１０から突出するように被収容部２ａに支持されて水路１０の上方を覆う被覆部２ｂとを備え、被収容部２ａは、少なくとも一部が水路１０の一対の側壁１１，１２および底壁１３と密着するように配置される水路用保護部材１である。被収容部２ａは、縦枠体２の下部に形成されたコ字状部により構成することができる。【選択図】  図３
0003227306.tif 000002
【実用新案登録請求の範囲】
【請求項１】
水路内に収容される被収容部と、前記水路から突出するように前記被収容部に支持されて前記水路の上方を覆う被覆部とを備え、
前記被収容部は、少なくとも一部が前記水路の一対の側壁および底壁と密着するように配置される水路用保護部材。
【請求項２】
前記水路に沿って間隔をあけて起立するように互いに連結された複数の縦枠体を備え、
前記被収容部は、前記縦枠体の下部に形成されたコ字状部からなる請求項１に記載の水路用保護部材。
【請求項３】
前記縦枠体は、環状に形成されて上部に円弧状部が形成されており、
前記被覆部は、前記円弧状部からなる請求項２に記載の水路用保護部材。
【考案の詳細な説明】
【技術分野】
【０００１】
本考案は、水路を保護するための水路用保護部材に関する。
【背景技術】
【０００２】
側溝や排水溝などの水路を保護するものとして、例えば特許文献１には、面状のメッシュ体からなる被覆材本体がアーチ状に形成された側溝用被覆材が開示されている。この側溝用被覆材は、側溝の角部にビスで固定されたアングル状の保持材に対して複数のヒンジにより取り付けられ、側溝の上方を覆うことで人や自転車等が水路内に転落するのを防止する。
【先行技術文献】
【特許文献】
【０００３】
【特許文献１】特開２０１６−２０４８７３号
【考案の概要】
【考案が解決しようとする課題】
【０００４】
ところが、上記の側溝用被覆材は、使用時において側溝の角部に保持材を取り付ける必要があることから、作業が煩雑になると共に側溝を傷めるおそれがあった。また、被覆材本体の両側が側溝の角部に支持される構成のため、側溝用被覆材の十分な強度を確保し難いという問題もあった。
【０００５】
そこで、本考案は、水路を容易且つ確実に保護することができる水路用保護部材の提供を目的とする。
【課題を解決するための手段】
【０００６】
本考案の前記目的は、水路内に収容される被収容部と、前記水路から突出するように前記被収容部に支持されて前記水路の上方を覆う被覆部とを備え、前記被収容部は、少なくとも一部が前記水路の一対の側壁および底壁と密着するように配置される水路用保護部材により達成される。
【０００７】
この水路用保護部材は、前記水路に沿って間隔をあけて起立するように互いに連結された複数の縦枠体を備えることが好ましく、前記被収容部は、前記縦枠体の下部に形成されたコ字状部から構成することができる。この構成において、前記縦枠体は、環状に形成されて上部に円弧状部が形成されていることが好ましく、前記被覆部は、前記円弧状部から構成することができる。
【考案の効果】
【０００８】
本考案によれば、水路を容易且つ確実に保護することができる水路用保護部材を提供することができる。
【図面の簡単な説明】
【０００９】
【図１】本考案の一実施形態に係る水路用保護部材の正面図である。
【図２】図１に示す水路用保護部材の側面図である。
【図３】図１に示す水路用保護部材の使用状態を示す正面図である。
【図４】本考案の他の実施形態に係る水路用保護部材の側面図である。
【図５】本考案の更に他の実施形態に係る水路用保護部材の正面図である。
【図６】本考案の更に他の実施形態に係る水路用保護部材の要部側面図である。
【考案を実施するための形態】
【００１０】
以下、本考案の一実施形態について添付図面を参照しつつ説明する。図１は、本考案の一実施形態に係る水路用保護部材の正面図であり、図２は、図１に示す水路用保護部材の側面図である。図１および図２に示すように、水路用保護部材１は、鉛直面に沿って起立した状態で互いに間隔をあけて配置された複数の縦枠体２と、上下に間隔をあけて水平に配置された複数の横枠体３とを備えている。
【００１１】
縦枠体２および横枠体３は、例えば鉄筋などの棒状体の両端を環状に接合して構成されており、横枠体３が、縦枠体２に対して内側から支持するように挿入されて溶接等で固定されることにより、複数の縦枠体２が互いに連結されている。縦枠体２および横枠体３は、必ずしも環状である必要はなく、棒状体の両端が分断されていてもよい。
【００１２】
縦枠体２の下部には、水平部の両側が鉛直上方に起立するように屈曲して、９０度回転させた向きでコ字状になるコ字状部２ａが形成されている。縦枠体２の上部には、上方に突出するように湾曲する半円状の円弧状部２ｂが形成されている。本実施形態のコ字状部２ａおよび円弧状部２ｂは、同一の縦枠体２により形成しているが、それぞれを別部材により形成することもできる。
【００１３】
複数の縦枠体２の内側には、水平に延びる補強横材４が複数配置されている。また、水平方向に隣接する複数の縦枠体２の間には、上側に配置された横枠体３および補強横材４を外側から覆うように鉛直面に沿って湾曲する補強縦材５が複数配置されている。補強横材４および補強縦材５も鉄筋などの棒状体から形成することができ、縦枠体２や横枠体３などに対して溶接等で固定される。補強横材４および補強縦材５は、隣接する縦枠体２の間隔や大きさ・形状等に応じて適宜の数を配置すればよく、隣接する縦枠体２の間隔が小さい場合や、縦枠体２自体が小さい場合には、補強横材４および補強縦材５を備えない構成であってもよい。
【００１４】
上記の構成を備える水路用保護部材１は、図３に示すように、地面Ｇに形成された側溝や排水溝などの水路１０に使用することができ、複数の縦枠体２のコ字状部２ａが水路１０内に収容される被収容部となり、複数の縦枠体２の円弧状部２ｂが水路１０から突出して水路１０の上方を覆う被覆部となる。このように、本実施形態の水路用保護部材１は、被収容部を水路１０内に単に収容するだけでよいので、施工作業を迅速容易に行うことができる。
【００１５】
コ字状部２ａからなる被収容部は、水路１０の一対の側壁１１，１２および底壁１３に沿って密着することにより、水路１０内に確実に固定されると共に、水路１０を内側から補強して保護することができる。また、各縦枠体２を内側から支持する横枠体３の作用により、一対の側壁１１，１２との密着性をより高めることができる。被収容部は、本実施形態のコ字状部２ａのように、ほぼ全体が一対の側壁１１，１２および底壁１３と密着することが好ましいが、少なくとも一部が一対の側壁１１，１２および底壁１３と密着する他の形状であってもよい。
【００１６】
円弧状部２ｂからなる被覆部は、直下の被収容部により支持されるため、従来に比べて強度を容易に高めることができ、複数の補強横材４および補強縦材５と共に人や物などが水路１０内に落下するのを確実に防止して、水路１０を保護することができる。本実施形態においては、円弧状部２ｂだけでなく、円弧状部２ｂの両端から鉛直下方に延びる直線部の一部（図３のＡ部）も水路１０から突出するように配置され、これによって、被覆部の視認性を高めることができると共に、車両等が被覆部に乗り上げるのを抑制することができる。被覆部の形状は必ずしも円弧状である必要はなく、例えば、波形状、多角状、楕円弧状などであってもよい。
【００１７】
複数の縦枠体２は、水路１０の形状に合わせて水路１０に沿って配置すればよいため、水路用保護部材１は、直線状の水路１０だけでなく、湾曲状の水路１０に使用することもできる。水路１０に沿った水路用保護部材１の長さは、水路１０の保護が必要な箇所に応じて設定すればよく、複数の水路用保護部材１を適宜連結して使用することもできる。水路用保護部材１を複数使用する場合、両端部に配置される水路用保護部材１の長さを、他の水路用保護部材１の長さよりも短く設定することが好ましく（例えば３０〜５０ｃｍ程度）、水路１０の清掃やメンテナンス等を行う場合には、長さが短い両端部の水路用保護部材１を引き上げるだけで、作業を迅速容易に開始することができる。長さが短い水路用保護部材１の配置は、必ずしも両端部に限定されるものではなく、中間部等に配置してもよい。なお、図４に示すように、複数の補強横材４を部分的に切除することにより隣接する円弧状部２ｂの間に出入口６を形成し、この出入口６を介して作業者が水路１０に出入り可能に構成してもよく、この場合は、水路用保護部材１を水路１０内に設置したまま清掃などの作業を容易に行うことができる。出入口６は、通常時は蓋材等で被覆しておくことが好ましい。
【００１８】
水路用保護部材１を水路に沿って複数配置する場合、両端部に配置される水路用保護部材１は、図５に示すように、補強横材４の端部を下方に屈曲させたり、横枠体３を追加する等して、端部に位置する縦枠体２の円弧状部２ｂの内側を覆うことが好ましい。隣接する水路用保護部材１，１の間は、図６に示すように、補強横材４の端部同士を当接させることにより、所定の間隔を保持することができる。この間隔Ｓは、補強縦材５のピッチＰと同程度に設定することが好ましく、例えば１５ｃｍ以下に設定することで、水路を確実に保護することができる。
【符号の説明】
【００１９】
１  水路用保護部材
２  縦枠体
２ａ  コ字状部（被収容部）
２ｂ  円弧状部（被覆部）
３  横枠体
４  補強横材
５  補強縦材
６  出入口
１０  水路
１１，１２  側壁
１３  底壁
【図１】
0003227306.tif 000003
【図２】
0003227306.tif 000004
【図３】
0003227306.tif 000005
【図４】
0003227306.tif 000006
【図５】
0003227306.tif 000007
【図６】
0003227306.tif 000008